【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
隣接する構成要素（１０４、１０６）間にシールを設けるための密封デバイス（１０２）であって、
前記隣接する構成要素（１０４、１０６）間に挿入可能なシール・プレート（１１０）であって、第１の面（１１２）および反対側の第２の面（１１４）を含むシール・プレート（１１０）、
幅と長さを画定する前記シール・プレート（１１０）の周囲を画定するエッジ（１１６）および
前記第１の面（１１２）と前記第２の面（１１４）のうちの一つから延出する複数のピン（１３０）であって、前記第１の面（１１２）と前記第２の面（１１４）のうちの前記一つを前記隣接する構成要素（１０４、１０６）の接触表面（１２２）から離間させるように構成されている複数のピン（１３０）
を含み、
前記複数のピン（１３０）が、前記シール・プレート（１１０）の前記エッジ（１１６）から離れて位置づけられ、前記シール・プレート（１１０）の前記幅と前記長さに沿って互いに離れて位置づけられて、前記複数のピン（１３０）の間で冷却媒体が流れるための空間を画定し、
前記複数のピン（１３０）と前記シール・プレート（１１０）とが一体の構造として作成され、
前記複数のピン（１３０）が少なくとも３行及び、少なくとも３列で構成される、
密封デバイス（１０２）。
【請求項２】
隣接する構成要素（１０４、１０６）間にシールを設けるための密封デバイス（１０２）であって、
前記隣接する構成要素（１０４、１０６）間に挿入可能なシール・プレート（１１０）であって、第１の面（１１２）および反対側の第２の面（１１４）を含むシール・プレート（１１０）、
幅と長さを画定する前記シール・プレート（１１０）の周囲を画定するエッジ（１１６）および
前記第１の面（１１２）と前記第２の面（１１４）のうちの一つから延出する複数のピン（１３０）であって、前記シール・プレート（１１０）の前記エッジ（１１６）から離れて位置づけられ、前記シール・プレート（１１０）の前記幅と前記長さに沿って互いに離れて位置づけられて、前記複数のピン（１３０）の間で冷却媒体が流れるための空間を画定し、前記第１の面（１１２）と前記第２の面（１１４）のうちの前記一つを前記隣接する構成要素（１０４、１０６）の接触表面（１２２）から離間させるように構成され、前記複数のピン（１３０）と前記シール・プレート（１１０）とが一体の構造として作成され、前記第１の面（１１２）と前記第２の面（１１４）のうちの前記一つにチャネル（１４０）が画成され、前記複数のピン（１３０）は前記チャネル（１４０）内に配置されている複数のピン（１３０）
を含う、
密封デバイス（１０２）。
【請求項３】
前記第１の面（１１２）と前記第２の面（１１４）のうちの前記一つにチャネル（１４０）が画成され、前記複数のピン（１３０）は前記チャネル（１４０）内に配置され、前記チャネル（１４０）は前記長さに沿って延在している、請求項１に記載の密封デバイス（１０２）。
【請求項４】
前記第１の面（１１２）と前記第２の面（１１４）のうちの前記一つにチャネル（１４０）が画成され、前記複数のピン（１３０）は前記チャネル（１４０）内に配置され、前記チャネル（１４０）は前記幅に沿って延在している、請求項１に記載の密封デバイス（１０２）。
【請求項５】
さらに、前記複数のピン（１３０）上に配置され前記シール・プレート（１１０）から離間された補助シール部材（１５０）を含み、前記補助シール部材（１５０）は、前記隣接する構成要素（１０４、１０６）の前記接触表面（１２２）と接触するように構成されている、請求項１乃至４のいずれかに記載の密封デバイス（１０２）。
【請求項６】
前記補助シール部材（１５０）は、第２のシール・プレート（１５４）である、請求項５に記載の密封デバイス（１０２）。
【請求項７】
前記補助シール部材（１５０）は、布層（１６０）を含み、前記布層（１６０）は布および前記布に埋め込まれた複数の金属製撚糸（１６４）を含む、請求項５に記載の密封デバイス（１０２）。
【請求項８】
前記複数のピン（１３０）はそれぞれおよそ０．０１インチ以下の最大高さを有し、
前記複数のピン（１３０）はそれぞれおよそ０．０２インチ以下の最大幅を有する、請求項１乃至７のいずれかに記載の密封デバイス（１０２）。
【請求項９】
前記複数のピン（１３０）はそれぞれ概ね筒形である、請求項１乃至８のいずれかに記載の密封デバイス（１０２）。
【請求項１０】
前記複数のピン（１３０）はそれぞれ概ねピラミッド形である、請求項１乃至８のいずれかに記載の密封デバイス（１０２）。
【請求項１１】
ターボ機械であって、
第１の構成要素および第２の隣接する構成要素（１０４、１０６）であって、前記第１の構成要素と前記第２の構成要素は間に間隙を画成し、前記第１の構成要素と前記第２の構成要素はそれぞれスロットを画成し、前記スロットは接触表面（１２２）を含む、第１の構成要素および第２の隣接する構成要素（１０４、１０６）、および
前記間隙に配置され、前記隣接する構成要素（１０４、１０６）間にシールを設けるための密封デバイス（１０２）であって、
前記第１の構成要素および前記第２の構成要素の前記スロット内に配置され、前記間隙の両端間に延在するシール・プレート（１１０）であって、第１の面（１１２）および反対側の第２の面（１１４）を含むシール・プレート（１１０）、
幅と長さを画定する前記シール・プレート（１１０）の周囲を画定するエッジ（１１６）および
前記第１の面（１１２）と前記第２の面（１１４）のうちの一つから延出する複数のピン（１３０）であって、前記第１の面（１１２）と前記第２の面（１１４）のうちの前記一つを前記スロットの前記接触表面（１２２）から離間させている複数のピン（１３０）
を含む密封デバイス（１０２）
を含み、
前記複数のピン（１３０）が、前記シール・プレート（１１０）の前記エッジ（１１６）から離れて位置づけられ、前記シール・プレート（１１０）の前記幅と前記長さに沿って互いに離れて位置づけられて、前記複数のピン（１３０）の間で冷却媒体が流れるための空間を画定し、
前記複数のピン（１３０）と前記シール・プレート（１１０）とが一体の構造として作成され、
前記複数のピン（１３０）が筒形である、
むターボ機械。
【請求項１２】
前記第１の面（１１２）と前記第２の面（１１４）のうちの前記一つにチャネル（１４０）が画成され、前記複数のピン（１３０）は前記チャネル（１４０）内に配置されている、請求項１１に記載のターボ機械。
【請求項１３】
前記シール・プレート（１１０）は、長さおよび幅を画定し、前記チャネル（１４０）は前記長さまたは前記幅に沿って延在している、請求項１２に記載のターボ機械。
【請求項１４】
さらに、前記複数のピン（１３０）上に配置され前記シール・プレート（１１０）から離間された補助シール部材（１５０）を含み、前記補助シール部材（１５０）は、前記隣接する構成要素（１０４、１０６）の前記接触表面（１２２）と接触するように構成されている、請求項１１乃至１３のいずれかに記載のターボ機械。
【請求項１５】
前記補助シール部材（１５０）は、第２のシール・プレート（１５４）である、請求項１４に記載のターボ機械。
【請求項１６】
前記補助シール部材（１５０）は、布層（１６０）を含み、前記布層（１６０）は布および前記布に埋め込まれた複数の金属製撚糸（１６４）を含む、請求項１４に記載のターボ機械。